(57)【要約】【課題】  血液透析治療や血栓除去治療の治療性を特段に向上するカテーテル形態の医療用処置具を提供する。【解決手段】  相互に先端連結した外側チューブ体２と内挿した内側チューブ体３から成ると共に、外側チューブ体２内周と内側チューブ体３外周間または内側チューブ体３の内周のいずれか、または、いずれもを液体流路と成す２層管構造の可撓性チューブ体にして、外側チューブ体２は外層被覆Ｃを有する中空撚線コイル体４にして、かつ、外層被覆Ｃを剥離した先端近傍の膨縮径部５と後端の手元操作部１４を備え、手元操作部１４による内側チューブ体３の引き操作による膨縮径部５のコイル素線２によるバスケット状膨径変体６と、バスケット状膨径変体６からの復元縮径変体を自在にした構造の医療用処置具１が特徴である。【選択図】      図１
2006051144.tif 000002
【特許請求の範囲】
【請求項１】
相互に先端連結した外側チューブ体と該外側チューブ体に内挿した内側チューブ体から成ると共に、該外側チューブ体内周と該内側チューブ体外周間または前記内側チューブ体の内周のいずれか、または、いずれもを液体流路と成す２層管構造の可撓性チューブ体にして、該外側チューブ体は外層被覆を有する中空撚線コイル体にして、かつ、該外層被覆を剥離した先端近傍の膨縮径部と後端の手元操作部を備え、該手元操作部による前記内側チューブ体の引き操作による前記膨縮径部のコイル素線によるバスケット状膨径変体と、該バスケット状膨径変体からの復元縮径変体を自在にした構造を特徴とする医療用処置具。
【請求項２】
内側チューブ体が、中空撚線コイル体から成る請求項１に記載の医療用処置具。
【請求項３】
手元操作部に、外側チューブ体と内側チューブ体の相対位置のセットロック手段を設けた請求項１または請求項２に記載の医療用処置具。
【請求項４】
手元操作部または外側チューブ体の後端部位に外側チューブ体の内側と内側チューブ体の外周間の液体流路に連通する液体注吸入部を備え、膨径状の膨縮径部を血液の取出し口と成し、かつ、内側チューブ体の先端開口部を血液の戻し口とした血液透析治療用カテーテル構造の請求項１〜請求項３のいずれかに記載の医療用処置具。
【請求項５】
手元操作部または外側チューブ体の後端部位に外側チューブ体の内側と内側チューブ体の外周間の液体流路に連通する液体注吸入部を備え、膨径状の膨縮径部を前記液体流路に注入した薬液の血中放出部、または、内側チューブ体内に薬液を注入して該内側チューブ体の先端開口部を薬液の血中放出部、の少くとも１つの血中放出部を備えて成る薬液注入治療用カテーテル構造の請求項１〜請求項３のいずれかに記載の医療用処置具。
【請求項６】
膨縮径部部位の内側チューブ体の周壁に、外側チューブ体の撚り方向と同一のスパイラル状のサイド孔を設け、該内側チューブ体の内周を液体流路に成し、かつ、前記サイド孔を薬液放出孔に成す請求項５に記載の医療用処置具。
【請求項７】
中空撚線コイル体のコイル素線が、単線または撚り線の撚合線から成る請求項１〜請求項６のいずれかに記載の医療用処置具。
【請求項８】
中空撚線コイル体のコイル素線が、異種金属の組合せから成る請求項１〜請求項６のいずれかに記載の医療用処置具。
【請求項９】
中空撚線コイル体のコイル素線が、異形断面形状から成る請求項１〜請求項６のいずれかに記載の医療用処置具。
【請求項１０】
中空撚線コイル体のコイル外周が、縮径加工された形状から成る請求項１〜請求項６のいずれかに記載の医療用処置具。
【発明の詳細な説明】
【技術分野】
【０００１】
本発明は、血管病変部への血栓溶解剤注入治療や血液透析治療等に用いる医療用処置具に関するものである。
【背景技術】
【０００２】
血栓溶解剤注入治療や血液透析治療に用いる医療用処置具は、血液内に挿入する細長可撓性チューブ体の先端部分に「バスケット状の膨径変体自在の膨縮径部を設け、その膨縮径部を血栓溶解剤の血管内注入部としたり、血液取出し部にする形態のものが普及しており、特許文献１〜３に示す背景技術がある。
【０００３】
即ち特許文献１のものは、先端部分を連結して相互に長手方向に摺動自在の外側カテーテルと内側カテーテルの２重チューブ体の外側カテーテルの先端部分に、長手方向に数本の「切れ目」を入れた膨縮径部を設け、内側カテーテルを進退させることによって該膨縮径部を膨大変化させてバスケット状に拡開することによって、開口した切れ目を血液の取出し口にして血液透析治療を行う構造を特徴としている。
【０００４】
そして特許文献２のものは、特許文献１のものと同様に、２重チューブ体の外側カテーテルに同じく「切れ目」を入れた膨縮径部を設け、血管病変部へ挿入した該膨縮径部をバスケット状に膨大変化させて開口した切れ目から血栓溶解剤を注入して血栓溶解治療を行う構造を特徴としている。
【０００５】
一方特許文献３のものは、同じく２重チューブ体の外側カテーテルに「切れ目」を入れた膨縮径部を設けると共に、その「切れ目」間のスリット片を弾性率が大なる補強材で補強し、膨縮径部の膨縮径変体の円滑を図る構造を特徴としている。
【０００６】
【特許文献１】特開平１０−２７７１４７号公報
【特許文献２】特開平１０−５７５０１号公報
【特許文献３】特開平１１−１９７２５１号公報
【発明の開示】
【発明が解決しようとする課題】
【０００７】
以上の背景技術の特許文献１のものは、カテーテルの長手方向に周壁を分割した数本の「切れ目」を入れた膨縮径部構造であることから「切れ目」による引張り強度劣化が避けられず、かつ体温（血液温）の熱影響による軟化（カテーテルは一般に樹脂材質が多い）現象があり、血管壁に接触させてバスケット状に膨大変体させる膨縮径部の形状歪を生じ易く、血管壁への支承力低下をもたらして当該治療の円滑化を妨げる。そして、その「切れ目」加工が煩雑にして多大の手数がかかる。
【０００８】
そして特許文献２のものは、同じく「切れ目分割」の膨縮径部であることから、特許文献１のものと同様な支承力低下と加工性上の難点がある。そして、特許文献１・２のいずれも、カテーテルの任意ポイントへ「任意形状の膨縮径部」を自在に設定可能にする技術思想が開示されていない。
【０００９】
一方特許文献３のものは、特許文献１・２と同様な「切れ目」による膨縮径部であることから、「切れ目」存在による難点が存在すると共に「切れ目」間のスリット片の補強材の補強加工は極めて煩雑にして量産性に欠けると共に、血管内での補強材脱落が現実的に完全防止不能にして治療安全性に欠ける。
【００１０】
本発明は、以上の背景技術の難点を解消し、当該治療性の一段の安定向上を図り、併せて加工生産性に優れる高品質・高性能の「膨縮径部つき医療用処置具」を提供するものである。
【課題を解決するための手段】
【００１１】
以上の技術課題を解決する本発明の医療用処置具１は、その基本形態を示す図１参照「相互に先端連結した外側チューブ体２と外側チューブ体２に内挿した内側チューブ体３から成ると共に、外側チューブ体２内周と内側チューブ体３外周間または内側チューブ体３の内周のいずれか、または、いずれもを液体流路９と成す２層管構造の可撓性チューブ体にして、外側チューブ体２は外層被覆Ｃを有する中空撚線コイル体４にして、かつ、外層被覆Ｃを剥離した先端近傍の膨縮径部５と後端の手元操作部１０を備え、手元操作部１０による内側チューブ体３の引き操作による膨縮径部５のコイル素線７による任意径Ｄのバスケット状の膨径変体６と、その膨径変体６からの復元縮径変体を自在にした構造」が特徴である。なお前記の中空撚線コイル体とは、特開２００２−２７５７７４公報等に示される多数のコイル素線を同一円周上に撚合構成した可撓性線状体の中空撚線コイル体」を意味し、前記液体流路の液体とは、血栓溶解剤・透析用血液等を意味する。
【００１２】
即ち、前記構成の本発明の医療用処置具１は、中空撚線コイル体４の外層チューブ体２と「可撓性チューブ体の内側チューブ体３」によって長尺可撓性の主体管を構成すると共に、血栓溶解剤の血管内注入部または透析用血液の取出し部として機能させる膨縮径部５を中空撚線コイル体４の構成素線によって形成し、自由状態でストレート外周スパイラル撚合のコイル素線７群を個個に外方へ強制膨出させて、スパイラル状膨出リブのコイル素線７の集合から成るバスケット状の膨径変体６に成す膨径変体と、その膨径変体６の強制変体外力をルーズにすることによって、コイル素線７それぞれの自己弾性力によってストレート状への自力縮径復元変体を可能にした構造が特徴である。
【００１３】
即ち、その膨縮径部５以外の中空撚線コイル体４の外周には樹脂被覆Ｃが施されて正常な可撓性管形状を維持すると共に、所要スパンＳの膨縮径部５のみ樹脂被覆Ｃが剥離されて素線７が露出されており、手元操作部１０による内側チューブ体３のプル操作によって膨径変体６とストレート状への復元縮径変体が反復自在になる構造に設定されている。
【００１４】
そして、前記構成の本発明の医療用処置具１は、作用効果のさらなる向上を図る意図から「内側チューブ体３を中空撚線コイル体」にしたり、「内外側チューブ体２・３の相対位置のセットロック手段」を設けたり、膨縮径部５部位の内側チューブ体３の周壁に外層チューブ体２の素線と同一の撚合方向のスパイラル状のサイド孔」を付設したり、「血液透析治療用カテーテル構造」「薬液注入治療用カテーテル構造」の態様を採択する。
【発明の効果】
【００１５】
前記構成の本発明の医療用処置具１は、薬液注入部または血液引き抜き部として機能する膨縮径部５の膨径変体６がスパンＳの膨縮径部５の中心線に対して３６０°等の応分の捻り角を有するスパイラル状を呈するコイル素線７群の集合から成るので、押圧外力による機械的形状保持性が特段に高く、血管壁によって容易に圧縮変形せず、かつ血液温による強度低下を生じない正常な「素線間隔を存在させるリブ集合バスケット体」を維持し、前記治療機能を良好に奏することができる。
【００１６】
即ち、以上の良好な形状保持性は血管内の要所にセットした膨径変体６から血栓溶解剤等の薬液の血液内注入に際して、注入性能が安定して一定量・一定圧力の良好な注入機能が維持される。そして、治療中に例えば血管のスパスム現象（けいれん）の異常が発生して当該部位が血管内拘束されたとき、その拘束からの即時引き抜きが可能にして治療トラブルの発生を有効に防止することができる。
【００１７】
さらに、血管内へ挿入した膨縮径部５の膨径変体６を外側チューブ体２に注入した薬液の血管内への注入部として機能させると、その膨径変体６のスパイラル状のリブ間を強制通過する薬液が、該スパイラル方向と同一方向にスパイラル流を生じて血液への良好な注入混合作用を奏して、血液への薬液の良好な均一注入性が確保される。
【００１８】
そして、形状安定性に優れる膨縮径部５によって血栓発生患部または血管壁から分離して細分化した血栓を捕捉した箇所（例えば膨径変体６の膨縮径部５）に限定した局部薬液注入が迅速かつ効率的にでき血栓をさらに溶解細分化して消失させるので、従来治療手法における出血性合併症の発生を防止すると共に、患者の治療苦痛を緩和して当該治療性の向上を図ることができる。
【００１９】
そして、血管内の膨径変体６を血液透析治療の「血液引き抜き部」として機能させると以下の特有作用がある。即ち、背景技術の樹脂製チューブ体では、血液引き抜き時の減圧作用による血管壁への「へばりつき現象」と血温影響による軟化によって膨径変体の形状支承力が不足する不具合がある。しかし、本発明のものは金属線撚合形態の膨縮径部５を用い、かつ必要に応じて血管内壁に対応する膨径変体形状のセットロック手段を採択するので、形状支承力が極めて大にして前記不具合現象が解消される。
【００２０】
さらに膨径変体６を通過して液体流路９を通る血流が、同じくスパイラル流を生じて有害な血液乱流の発生と「それによる治療用処置具の当該部位の振動発生」を防止して、円滑効率的な血液抜き治療ができる。そして、その引き抜き血液の流路となる液体流路９の内側は中空撚線コイル体４のコイル素線７のスパイラル形態であることから、前記血液のスパイラル流を助長作用する。
【００２１】
さらに、本発明の医療用処置具１は、膨縮径部５が中空撚線コイル体４の任意ポイントの外層被覆Ｃを任意スパン剥離加工するので形成セットすることができるので、薬液注入部・血液引き抜き部の形成設定が前記背景技術のものより特段に簡便的確にして、高精度成形が可能になる特段の加工成形性が存在する。
【００２２】
以上のとおり、本発明の医療用処置具１は、治療性能と加工成形性を特段に向上する主たる特有の作用効果が存在する。
【発明を実施するための最良の形態】
【００２３】
以下、前記基本形態の好ましい実施例諸元と、図２〜図６に示す前記基本形態に基づく好ましい実施例を説明する。
【実施例】
【００２４】
まず、図１に示す基本形態の１実施例の諸元は下記のとおりである。即ち、外側チューブ体２の中空撚線コイル体４は「線径＝０．１粍の線材の撚合、または７本撚り合せの外径＝０．３粍の素線を撚合した内径＝３．２粍の中空コイル体に樹脂材または熱収縮チューブの外層被覆Ｃを施した外直径＝４．０粍」の諸元である。そして内側チューブ体３は、外径＝２．０粍・内径＝１．６粍にして「ポリエチレン・ポリプロピレン・ポリアミド・ふっ素樹脂等またはステンレス材・Ｎｉ−Ｔｉ（ニッケル−チタン）材等の可撓性中空管」または「線経＝０．１５粍の線材を撚合した素線を内径＝１．６粍にコイル巻きして、必要に応じて樹脂材の外層被覆Ｃを施して外経＝２．０粍にした中空撚線コイル体４」の諸元である。
【００２５】
続いて、図２〜図６を参照して実施例を説明する。まず、図２参照、この図２に示すものは「大径の中空撚線コイル体４Ａの外側チューブ体２」に「小径の中空撚線コイル体４Ｂから成る内側チューブ体３」が同芯状に内挿セットされており、この内側チューブ体３の中空撚線コイル体４Ｂは外層被覆Ｃ不存在または存在のいずれかにして外側チューブ体２と同一撚り方向に組合せ設定されている。この外層被覆Ｃ不存在のものは、外周に流れる液体のスパイラル流を外周によって助長するので外側チューブ体２内の前記スパイラル流作用が一段と顕著になる。
【００２６】
なお、この図２実施例において外側チューブ体２と内側チューブ体３が同一撚り方向に設定されているのは以下の理由による。即ち、進退操作部１４で内側チューブ体３の撚りが締まる方向に内側チューブ体３を回転・プル操作すると、内側チューブ体３は撚り方向に回転引張り作用を受ける。従って、その内側チューブ体３と先端連絡されている外側チューブ体２は、この内側チューブ体３の回転引張り作用の反力が撚り方向を緩める方向に作用して、膨縮径部５の膨径変体がし易くなる特有作用がある。そして、この作用を確実にする為には、例えば進退操作部１４が「後方からみた左回転後退」であれば、中空撚線コイル体４は内側・外側チューブ体２・３ともＺ撚りであることが好ましい。
【００２７】
続いて図３参照、この図３の実施例は前記基本形態のものにおける外側チューブ体２と内側チューブ体３の相対スライド位置のセットロック手段（膨縮径部５の膨径変体６の膨大度のセット手段）を有している。
【００２８】
詳しくは、外側チューブ体２の後端は治療時に体外に出す手元操作部１０に連結されており、この手元操作部１０は後端外周を雄ねじ部１６に成して、外側チューブ体２の後端を連結した中空管体のボス部１５と、このボス部１５の雄ねじ部１６に螺合する雌ねじ部１７を前端内周に有して内側チューブ体３を中空部に挿通する中空管体の進退操作部１４との２部材の組合せから成り、この進退操作部１４の回転操作によるボス部１５との相対進退によって内側チューブ体３の進退操作（外側チューブ体２に対する進退操作）ができる。
【００２９】
即ち、外側チューブ体２に内挿した内側チューブ体３は後端が手元操作部１０の進退操作部１４に連結されて中空部が貫通しており、この進退操作部１４の押し引き操作によって外側チューブ体２に内挿した内側チューブ体３を進退させ、膨縮径部５のスパンＳの伸縮変化による膨径変体６と縮径変体ができる。そして、そのボス部１５の雄ねじ部１６にはロックナット１８が螺合されており、このロックナット１８を進退操作部１４の前端に接合させて締付けることによって、ボス部１５と進退操作部１４の相対位置をロックして膨径変体６の膨径度を最適に保持したり、解除できるセットロック手段が設定されている。
【００３０】
なお、この実施例のものは後述する血液透析治療または血液への薬液注入治療に用いる医療用処置具１にして、薬液注入部または血液取出し部として機能させる液体注吸入部１３がボス部１５の側周に突設され、この液体注吸入部１３の注吸入孔１９が外側チューブ体２の中空部の液体流路９と連通している。
【００３１】
以上のセットロック手段を有する図３実施例のものは、内側チューブ体３と外側チューブ体２の相対位置のセットロックと解除が可能にして、膨径変体６のサイズを病変部の大小多様サイズの血管径にマッチングさせてセットロックして当該治療ができるので、治療性が向上すると共に長時間治療も可能になる特有の作用効果がある。
【００３２】
続いて、前記基本形態から成る「血液透析治療用カテーテル構造」と「血液への薬液注入治療用カテーテル構造」の実施例を説明する。即ち、（図３・図４（Ａ）参照）血液透析用カテーテルのものは、「膨径変体６を血液の取入れ部」「内側チューブ体３を血液の戻し部」として機能させるものにして、以下の手法で使用される。
【００３３】
即ち、血液透析部２０を液体注吸入部１３と手元操作部１０後端の内側チューブ体３の開口端に接続セットすると共に、膨縮径部５を血液取り出しに適する血管内ポイントにセットして膨径変体６に成し、しかるのち、その膨径変体６から液体流路９を通して血管Ｔ中の血流Ｆを血液透析部２０に送出して透析治療する。
【００３４】
かくして、その透析血液を手元操作部１０の後端の内側チューブ体３内に送出して内側チューブ体３の中空部を還流路として機能させて先端開口部から血管中に還流させて治療する。
【００３５】
一方、血栓除去治療の薬液注入治療用カテーテルは（図３・図４（Ｂ）参照）液体流路９を薬液の注入路、膨径変体６を液体流路９からの薬液の血中放出部として機能させるものにして、治療に適する血管内ポイントに膨縮径部５を自在にセットして必要サイズの膨径変体６に成し、しかるのち、液体注吸入部１３から血栓溶解剤の溶液Ｌを注入して外側チューブ体２内側の液体流路９に送出して膨径変体６から血管Ｔ内に放出注入して当該治療をする。
【００３６】
以上の治療手法において、透析処置血液と血栓溶解剤は膨径変体６によって前記スパイラル作用を生じて血液内混入するので極めて効率的な血液戻し・血栓除去治療ができる。
【００３７】
次に図５を参照して前記薬液注入治療用カテーテルの他の実施形態を説明する。即ち、この図５のものは膨径変体６の中心に存在する内側チューブ体３の周壁に、薬液注入用のスパイラル状のサイドホール２１を設けたもので、図５（Ａ）のものは外側チューブ体２の撚り方向と同一方向に点在連設した小孔群配列形態、図５（Ｂ）のものは図５（Ａ）の小孔群の連続孔形態、図５（Ｃ）のものは外層被膜Ｃを剥離した中空撚線コイル体の素線を１本欠落させたスパイラル空隙形態に成っている。なお、図５（Ａ）（Ｂ）のものは、図５（Ｃ）の１本欠落形態の部位にサイドホール２１を設けたり、中空撚線コイル体以外の通常チューブ体を内側チューブ体３として用いるときはサイドホール２１を穿設する工法によって形成しても良い。
【００３８】
以上のサイドホール２１を設けたものは、血栓溶解剤液等の薬液注入路として内側チューブ体３が活用できると共に、サイドホール２１から送出される薬液はサイドホール２１の配設形態に基づくスパイラル流を生じて膨径変体６内に送出されるので、膨径変体６によるスパイラル流を助長し、それに基づく薬液の血液への効果的混合注入・均一注入作用が一段と顕著になる。
【００３９】
続いて図６を参照して他の実施形態を説明する。即ち、まず図６（Ａ）に示すものは外側チューブ体２の中空撚線コイル体４のコイル素線が、図示７Ａ・７Ｂのようにステンレス鋼線・Ｎｉ−Ｔｉ合金線・タングステン線等の異種金属の組合せに成っている。このＮｉ−Ｔｉ合金線使用のものは膨径変体６の形状記憶性・超弾性特性によって反復使用による曲りぐせ発生の防止と特段の形状安定性を図ることができる。
【００４０】
次に図６（Ｂ）のものは外側チューブ体２の中空撚線コイル体４が円形加工後にスエージング加工または外周ダイス引き加工によって外周が強制縮径加工されている。この縮径加工形態のものは、縮径による細径化と加工による剛性向上効果があり、長手方向または径方向の縮径部位または縮径度を調整することによって長手方向の先柔後剛の好ましい形態設定が可能になる。
【００４１】
そして、図６（Ｃ）のものは外側チューブ体２の中空撚線コイル体４のコイル素線７Ｃが断面矩形状の異形形状に設定されている。この平板素線を用いると外側チューブ体２の外径細径化または「液体流路９として活用する内径の増径化による流路拡大」が可能になるメリット作用がある。
【００４２】
一方、図６（Ｄ）のものは膨縮径部５の両端の外側チューブ体２の外周に、膨縮径部５の反復変体の応力を受ける外周を押えロックする「コイル体・リング体」等からなる変形防止用の結束部２２が施してある。この図６（Ｄ）のものは、その部位の外側チューブ体２の変体反復による「変形・ほぐれ」を防止するので膨縮径部５の変体形状が安定して変体反復性が向上する。
【００４３】
なお、外側コイル体２の中空撚線コイル体４のコイル素線７は、図示しないが単線のみではなく、多数の細線を撚合した（１×７撚合等）公知の撚合線を用いて柔軟性を向上し、膨縮径部５の膨縮作用の一段の容易化を図る形態にすることがあり、手元操作部１０は（図１参照）、指先によってスライド移動させる指先操作片１１の形態等にすることがあり、前記セットロック手段は、別物品クランプによるクランプロック形態・クランプピンのセットロックでも良い。さらに、膨縮径部５は例えば前記薬液注入の効率化を意図して、同一の外側チューブ体２に複数セット形態にすることがあり、液体注吸入部１３は手元操作部１０から分離した形態にして外側チューブ体２に独立設定することがある。
【００４４】
さらに、外側チューブ体２の中空撚線コイル体４の外層被覆Ｃは、膨径時の内側チューブ体３の引張りによる圧縮反力を円滑に享受するため、比較的硬質材料が好ましく、熱可塑性樹脂のみならず「フェノール樹脂・エポキシ樹脂等の熱硬化性樹脂」でも良く、またステンレス鋼管・アルミニウム管等によって形成しても良い。そして（図３参照）段落００２８に記載した血液透析治療等に用いるものにおいて、内側チューブ体３内を流体流路として用いる場合は、図示点線のように内側チューブ体３を伸長して、その端部に「進退操作部１４に固定した接続具２４」を設け、血液透析部２０等から引き出したホース２５に接続する構造にすることがある。そして、図３・図４（Ａ）に示す「内側チューブ体３の内周を液体流路と成す」形態のものは、その内側チューブ体３の先端開口部を薬液の血中放出部と成す薬液注入治療用カテーテルとしても応用する。
【図面の簡単な説明】
【００４５】
【図１】本発明の医療用処置具の基本形態を示し、（Ａ）はその全体正面図、（Ｂ）はその膨縮径部の拡大図、（Ｃ）は膨縮径部の変体説明図
【図２】本発明１実施例の医療用処置具の膨縮径部の正面図
【図３】本発明の他の実施例の医療用処置具を示し、（Ａ）はその全体正面図、（Ｂ）はその手元操作部の拡大図
【図４】図３実施例の作用状態を示し、（Ａ）（Ｂ）とも膨径変体部位の正面図
【図５】本発明の他の実施例の膨縮径部位の内側チューブ体を示し、（Ａ）〜（Ｃ）ともその構造説明図
【図６】本発明の他の実施例の部分構造を示し、（Ａ）〜（Ｃ）は外側チューブ体の構造説明図、（Ｄ）は膨縮径部の構造説明図
【符号の説明】
【００４６】
１  医療用処置具
２  外側チューブ体
３  内側チューブ体
４  中空撚線コイル体
５  膨縮径部
６  膨径変体
７  コイル素線
９  液体流路
１０  手元操作部
１３  液体注吸入部
１４  進退操作部
１５  ボス部
１８  ロックナット
２１  サイドホール
２２  結束部
Ｃ  外層被覆
Ｆ  血流
Ｌ  薬液
Ｔ  血管
【図１】
2006051144.tif 000003
【図２】
2006051144.tif 000004
【図３】
2006051144.tif 000005
【図４】
2006051144.tif 000006
【図５】
2006051144.tif 000007
【図６】
2006051144.tif 000008